(57)【要約】【課題】固定子鉄心外周部の摩擦係数を大きくするか、又はハウジングを固定子鉄心外周部の凹部に食い込ませること等により、ハウジングが固定子鉄心を保持する力を強化することができる固定子を提供する。【解決手段】この発明に係る固定子は、回転機のハウジングに焼嵌又は圧入により固定される固定子において、固定子は、外径の異なる複数の電磁鋼板を積層して構成される固定子鉄心と、固定子鉄心に巻回されるコイルとを備え、固定子鉄心の外周形状を、軸方向にテーパーとなるテーパー形状としたことを特徴とする。【選択図】図６
2011152041.tif 000002
【特許請求の範囲】
【請求項１】
回転機のハウジングに焼嵌又は圧入により固定される固定子において、
前記固定子は、
外径の異なる複数の電磁鋼板を積層して構成される固定子鉄心と、
前記固定子鉄心に巻回されるコイルとを備え、前記固定子鉄心の外周形状を、軸方向にテーパーとなるテーパー形状としたことを特徴とする固定子。
【請求項２】
回転機のハウジングに焼嵌により固定される固定子において、
前記固定子は、ヤング率の異なる複数の電磁鋼板を、夫々一枚毎もしくは複数枚毎に交互に積層して構成される固定子鉄心と、
前記固定子鉄心に巻回されるコイルとを備え、
前記固定子鉄心を前記ハウジングに焼嵌する場合、前記ハウジングが軸方向にわずかに凹凸形状に歪むことを特徴とする固定子。
【請求項３】
密閉容器内に、冷媒を圧縮する圧縮要素と、この圧縮要素を駆動する電動要素とを備え、前記電動要素に請求項１又は請求項２記載の固定子を用いたことを特徴とする密閉型圧縮機。
【請求項４】
ハウジング内に、固定子と、永久磁石を用いた回転子とを備えた永久磁石型モータであり、前記固定子に請求項１又は請求項２記載の固定子を用いたことを特徴とする回転機。
【請求項５】
前記固定子の固定子鉄心は複数の磁極ティースを備え、巻線方式は、前記磁極ティースに前記コイルが直接巻回される集中巻線であることを特徴とする請求項４記載の回転機。
【請求項６】
前記回転子の前記永久磁石に、希土類永久磁石を用いたことを特徴とする請求項４又は請求項５記載の回転機。
【発明の詳細な説明】
【技術分野】
【０００１】
この発明は、密閉容器又はフレーム等のハウジングに焼嵌、圧入等により固定される固定子鉄心に関するもので、特に固定子鉄心のハウジングとの接触面の摩擦係数を大きくして、ハウジングへの固定子鉄心の固定力を強化した固定子に関する。また、その固定子を用いた密閉型圧縮機及び回転機に関するものである。
【背景技術】
【０００２】
ハウジングの締め付け力によってステータを保持する構造を採用しながら、回転機の効率の低下を低減することができる技術を提供するために、ステータの外周面は、ハウジングの内周面と当接する当接面、ハウジングの内周面との間に空隙を形成する非当接面が形成され、当接面の中心角度が１３０度の範囲内に設定されるステータが提案されている（例えば、特許文献１参照）。
【先行技術文献】
【特許文献】
【０００３】
【特許文献１】特開２００６−１９１７０２号公報（第７頁、第３図）
【特許文献２】特開２００５−２６１１５８号公報
【特許文献３】特開２００５−１４３２１４号公報
【特許文献４】特開２００３−３２４８６９号公報
【特許文献５】特開平０９−２７５６６９号公報
【特許文献６】特開平０６−１４１５０９号公報
【特許文献７】特開２００５−２９５７４４号公報
【特許文献８】特開平０４−２５５４３６号公報
【発明の概要】
【発明が解決しようとする課題】
【０００４】
ハウジングに電動機の固定子を焼嵌、圧入等により固定する際、固定子鉄心内部には締め付け力（例えば、焼嵌時のハウジングの収縮により発生する）に応じた圧縮応力が発生する。この圧縮応力により固定子鉄心を構成する電磁鋼板の透磁率が低下し、且つ鉄損が増加する。上記特許文献１の固定子は、固定子鉄心の外周部にハウジングの内周面との間に空隙を形成する非当接面を設けることにより、固定子鉄心に作用する締め付け力を緩和していたが、ハウジングが固定子鉄心を保持する力も低下するという課題があった。
【０００５】
この発明は、上記のよう課題を解決するためになされたもので、固定子鉄心外周部の摩擦係数を大きくするか、又はハウジングを固定子鉄心外周部の凹部に食い込ませること等により、ハウジングが固定子鉄心を保持する力を強化することができる固定子及びそれを用いた密閉型圧縮機及び回転機を提供することを目的とする。
【０００６】
また、ハウジングが固定子鉄心を保持する力を強化することができるので、所定の保持力を得るための締め付け力を低減して、固定子鉄心内部に発生する圧縮応力を緩和し、焼嵌、圧入による電動機の効率低下を抑制できる固定子及びそれを用いた密閉型圧縮機及び回転機を提供することを目的とする。
【課題を解決するための手段】
【０００７】
この発明に係る固定子は、回転機のハウジングに焼嵌又は圧入により固定される固定子において、
固定子は、
外径の異なる複数の電磁鋼板を積層して構成される固定子鉄心と、
固定子鉄心に巻回されるコイルとを備え、固定子鉄心の外周形状を、軸方向にテーパーとなるテーパー形状としたことを特徴とする。
【発明の効果】
【０００８】
この発明に係る固定子は、テーパー形状となるように積層することにより、固定子鉄心の外周面の摩擦係数を上げるだけでなく、固定子鉄心をハウジングに焼嵌時に、ハウジングがテーパー形状の凹部に食い込むためより抜けにくい構成となる。
【図面の簡単な説明】
【０００９】
【図１】実施の形態１を示す図で、密閉容器４を焼嵌後の密閉型圧縮機内の電動要素１付近の縦断面図。
【図２】実施の形態１を示す図で、密閉容器４を焼嵌後の密閉型圧縮機内の電動要素１付近の横断面図。
【図３】実施の形態１を示す図で、第１の変形例の電動要素１付近の縦断面図。
【図４】実施の形態１を示す図で、第２の変形例の電動要素１付近の縦断面図。
【図５】実施の形態１を示す図で、第３の変形例の電動要素１付近の縦断面図。
【図６】実施の形態１を示す図で、第４の変形例の電動要素１付近の縦断面。
【図７】実施の形態２を示す図で、密閉容器４を焼嵌後の密閉型圧縮機内の電動要素１付近の縦断面図。
【図８】実施の形態２を示す図で、図７の変形例の電動要素１付近の縦断面図。
【図９】実施の形態３を示す図で、密閉容器４に固定子鉄心５を焼嵌又は圧入した後の電動要素１の縦断面図。
【図１０】実施の形態４を示す図で、密閉容器４に焼嵌又は圧入後の電動要素１の横断面図。
【図１１】実施の形態４を示す図で、第１の変形例の横断面図。
【図１２】実施の形態４を示す図で、第２の変形例の横断面図。
【図１３】実施の形態５を示す図で、密閉容器４に固定子鉄心５を焼嵌又は圧入した後の電動要素１の縦断面図。
【図１４】実施の形態５を示す図で、密閉容器４に固定子鉄心５を焼嵌又は圧入した後の電動要素１の縦断面図。
【発明を実施するための形態】
【００１０】
実施の形態１．
図１乃至図６は実施の形態１を示す図で、図１は密閉容器４を焼嵌後の密閉型圧縮機内の電動要素１付近の縦断面図、図２は密閉容器４を焼嵌後の密閉型圧縮機内の電動要素１付近の横断面図、図３は第１の変形例の電動要素１付近の縦断面図、図４は第２の変形例の電動要素１付近の縦断面図、図５は第３の変形例の電動要素１付近の縦断面図、図６は第４の変形例の電動要素１付近の縦断面図である。
【００１１】
この実施の形態では、密閉型圧縮機に組み込まれ、冷媒を圧縮する圧縮要素を駆動する電動要素１（密閉容器がない固定子と回転子だけのもの）を例に説明する。但し、この発明は、密閉型圧縮機以外に、ハウジング（フレーム）を用いる回転機にも適用される。
【００１２】
図１において、電動要素１は、固定子２と回転子３とを備える。電動機の種類は、ブラシレスＤＣモータ（永久磁石型モータの一例）である。固定子２は、例えば焼嵌により密閉容器４に固定される。ここで、焼嵌について説明する。常温において、密閉容器４の内径よりも固定子２の外径を大きく設定し、密閉容器４を高温（例えば、２００℃）に加熱して膨張させて、常温の固定子２の外径よりも密閉容器４の内径を大きくし、高温の密閉容器４に常温の固定子２を挿入する。密閉容器４の温度が下がると、密閉容器４は収縮するので両者は固定される。これを、焼嵌という。焼嵌後の固定子２には、密閉容器４の締め付け力により圧縮応力が生じる。本実施の形態は、この圧縮応力を低減する具体例について説明する。
【００１３】
固定子２は、固定子鉄心５を備える。固定子鉄心５は、厚さ０．１〜０．７ｍｍ程度の電磁鋼板を所定の形状に打ち抜き、所定枚数を積層して構成される。その外径は、密閉容器４の内径よりも僅かに大きいドーナツ形状である。常温における固定子鉄心５の外径と、密閉容器４の内径との差を焼嵌代という。焼嵌代は、固定子２の重量により異なるが（固定子２の重量が大きくなると、焼嵌代も大きくする）、数十〜数百μｍ程度である。
【００１４】
固定子鉄心５は、電磁鋼板を積層後に、打ち抜き時の歪みを緩和するために焼鈍処理が行われる。
【００１５】
本実施の形態は、固定子鉄心５の構成、特に外周部の形状に特徴があるが、これについては後述する。ここでは、固定子鉄心５は、二種類の電磁鋼板、即ち第１の電磁鋼板５ａ、第２の電磁鋼板５ｂを組み合わせるということだけ言っておく。
【００１６】
密閉容器４は、厚さ３ｍｍ程度の鋼板を絞り加工により円筒形状に形成される。
【００１７】
回転子３については、本実施の形態の特徴に関係しないので、詳しい説明は省略する。回転子３は、その中心部の孔に回転子軸１３が嵌合する。
【００１８】
また、固定子２と回転子３との間には、０．３〜１ｍｍ空隙１２が設けられ、回転子３が回転子軸１３を中心に回転可能になっている。
【００１９】
図２の横断面図により、固定子２と、回転子３との構成を少し詳しく説明する。固定子鉄心５には、その内径側に周方向に略等間隔に９個のスロット６（空間である）が放射状に形成されている。そして、隣接するスロット６間の鉄心部を磁極ティース７と呼ぶ。磁極ティース７は、径方向に形成され、外径側から内径側にかけてその周方向の幅は略等しい。内径側の先端部は、両サイドが周方向に広がる傘状の形状になっている。
【００２０】
磁極ティース７には、回転磁界を発生させるコイル８が巻かれている。コイル８は、マグネットワイヤーを絶縁体を介して磁極ティース７に直接巻き付けて形成される。この巻線方式を、集中巻線という。そして、コイル８は、３相Ｙ結線に結線される。コイル８のターン数や線径は、要求される特性（回転数やトルク等）、電圧仕様、スロットの断面積に応じて定まる。本実施の形態では、例えば、線径φ０．５ｍｍ程度のマグネットワイヤーを各磁極ティース７に１００ターン程度巻き付けている。
【００２１】
固定子２の中心付近に、回転可能な回転子軸１３が配置される。回転子軸１３に回転子９が嵌合する。回転子９は、外周部近傍に略正六角形をなす６個の磁石挿入穴１０が形成されている。磁石挿入穴１０には、Ｎ極とＳ極とが交互になるように、着磁された６枚の平板形状のネオジウム、鉄、ボロンを主成分とする希土類永久磁石１１が挿入されている。
【００２２】
次に、本実施の形態の特徴である、固定子鉄心５の外周部の形状について説明する。固定子鉄心５は、通常は外径の等しい電磁鋼板を積層することにより構成される。本実施の形態では、図１に示すように、例えば、外径の異なる二種類の電磁鋼板、第１の電磁鋼板５ａ、第２の電磁鋼板５ｂを一枚毎に交互に積層して固定子鉄心５を構成する。第１の電磁鋼板５ａの外径ｄ１は、第２の電磁鋼板５ｂの外径ｄ２よりも大きい。第１の電磁鋼板５ａの外径ｄ１と第２の電磁鋼板５ｂの外径ｄ２との差Δｄ（ｄ１−ｄ２）は、固定子鉄心５が磁気飽和を起さない値とする。具体的には、Δｄ≦ｄ１／１００とする。且つ、Δｄ≦０．４ｍｍが好ましい。
【００２３】
図１に示す例は、第１の電磁鋼板５ａの外径と第２の電磁鋼板５ｂとを、一枚毎に交互に積層しているが、これに限定されるものではなく、順序は問わない。さらに、図１では二種類の電磁鋼板を使用しているが、外径の異なる二種類より多い種類の電磁鋼板を積層してもよい。
【００２４】
例えば、図３の第１の変形例は、外径の大きい第１の電磁鋼板５ａを一枚、外径の小さい第２の電磁鋼板５ｂを三枚という順序で積層している。
【００２５】
このように、外径の異なる電磁鋼板を積層することで、固定子鉄心５の外周表面には、軸方向に微小な凹凸（数十〜数百μｍ程度）が形成される。この微小な凹凸により、固定子鉄心５の外周表面の軸方向の摩擦係数を、凹凸がない場合よりも大きくすることができる。
【００２６】
固定子鉄心５の外周表面の軸方向の摩擦係数が大きくなることにより、固定子鉄心５を密閉容器４に固定した場合に、密閉容器４の固定子鉄心５を軸方向に保持する力が大きくなる。そのため、例えば、密閉容器４の固定子鉄心５を締め付ける力を低減し（具体的には、焼嵌代を小さくする）、固定子鉄心５内部に発生する圧縮応力を緩和することができる。それにより、固定子鉄心５の圧縮応力に起因する鉄損増加を抑制できる。
【００２７】
鉄損の応力劣化は、磁束密度が高い程大きい。コイル８が巻線密度が高い集中巻線で、且つ回転子３に希土類永久磁石１１を使用した電動要素１は、磁束密度が高いので、固定子鉄心５の外周表面の軸方向の摩擦係数を大きくし、保持力を保ったまま密閉容器４の固定子鉄心５を締め付ける力を低減することによる鉄損の応力劣化の抑制効果は特に大きくなる。
【００２８】
また、固定子鉄心５を密閉容器４に固定した場合に、密閉容器４が固定子鉄心５の凹凸の凹部（第２の電磁鋼板５ｂの外側）に食い込むため、固定子鉄心５の軸方向に荷重が加わる場合に、固定子鉄心５が軸方向に抜けにくいという効果もある。
【００２９】
本実施の形態では、焼嵌で密閉容器４に固定子２を固定する例を説明したが、その他に、冷し嵌（固定子２を冷却する方法）、あるいは圧入等の方法により密閉容器４に固定子２を固定する場合でも、本実施の形態を適用できる。
【００３０】
本実施の形態の電動機は、図２に示すようなブラシレスＤＣモータを例に説明したが、誘導電動機等の永久磁石を用いない電動機であっても、同様の効果を得ることができる。
【００３１】
また、固定子鉄心５は、密閉容器４の焼嵌による締め付け力を低減することにより、固定子２に発生する振動、騒音を密閉容器４に伝わりにくくし、振動、騒音の低減にも有効である。
【００３２】
図１、図３に示すように、固定子鉄心５は外径の異なる二種類の電磁鋼板、第１の電磁鋼板５ａと、第２の電磁鋼板５ｂとをそれぞれ所定枚数を一定の間隔で積層して構成されるものについて説明したが、図４の第２の変形例に示すような３次元形状で、軸方向中央部がくびれるような形状に積層することにより、固定子鉄心５の外周面の摩擦係数を上げるだけでなく、固定子鉄心５を密閉容器４に焼嵌時に、密閉容器４がくびれの凹部に食い込むためより抜けにくい構成となる。尚、図４の第２の変形例では、外径の異なる５種類の電磁鋼板を使用している。但し、これは一例であり、外径の異なる何種類の電磁鋼板を使用してもよい。
【００３３】
また、図５の第３の変形例に示すような３次元形状で、軸方向中央部及び両端部がくびれるような形状（くびれ形状）に積層することにより、固定子鉄心５の外周面の摩擦係数を上げるだけでなく、固定子鉄心５を密閉容器４に焼嵌時に、密閉容器４がくびれの凹部に食い込むためより抜けにくい構成となる。尚、図５の第３の変形例では、外径の異なる５種類の電磁鋼板を使用している。但し、これは一例であり、外径の異なる何種類の電磁鋼板を使用してもよい。
【００３４】
また、図６の第４の変形例に示すような３次元形状で、テーパー形状となるように積層することにより、固定子鉄心５の外周面の摩擦係数を上げるだけでなく、固定子鉄心５を密閉容器４に焼嵌時に、密閉容器４がテーパー形状の凹部に食い込むためより抜けにくい構成となる。
【００３５】
実施の形態２．
上記実施の形態１では、固定子鉄心５を構成する電磁鋼板の外径を変えて積層することにより、固定子鉄心５外周表面に微小な凹凸を設け、固定子鉄心５の外周表面の摩擦係数を大きくするようにしたが、次に電磁鋼板の外径を変えずに、摩擦係数を大きくする実施の形態２を説明する。
【００３６】
図７、図８は実施の形態２を示す図で、図７は密閉容器４を焼嵌後の密閉型圧縮機内の電動要素１付近の縦断面図、図８は図７の変形例の電動要素１付近の縦断面図である。
【００３７】
図７に示すように、固定子鉄心５は、ヤング率（張力／歪みで表される物体の定数）の異なる二種類の電磁鋼板、第３の電磁鋼板５ｃ、第４の電磁鋼板５ｄを一枚毎に交互に積層して構成される。電磁鋼板は、例えば、Ｓｉ（シリコン）の含有量が多いと、硬く、低鉄損になる。また、Ｓｉ（シリコン）の含有量が少ないと、軟らかく、高鉄損になる。
【００３８】
図７に示す例は、第３の電磁鋼板５ｃと、第４の電磁鋼板５ｄとを、一枚毎に交互に積層しているが、これに限定されるものではなく、順序は問わない。さらに、図７では二種類の電磁鋼板を使用しているが、ヤング率の異なる二種類より多い種類の電磁鋼板を積層してもよい。
【００３９】
例えば、図８の変形例は、一枚の第３の電磁鋼板５ｃと、二枚の第４の電磁鋼板５ｄとを交互に積層している。
【００４０】
図７、図８のように構成された固定子鉄心５を、密閉容器４に焼嵌又は圧入した場合、ヤング率の小さい材料の方が弾性変形しやすいため、密閉容器４が軸方向にわずかに凹凸形状に歪み、密閉容器４と固定子鉄心５との軸方向の摩擦係数を上げることができる。また、焼嵌したシェルが凹部に食い込むため軸方向に荷重がかかった場合に引っかかりの役割も果たし、抜けにくい構成となる。
【００４１】
以上のように、ヤング率の異なる複数の電磁鋼板を積層して固定子鉄心５を構成し、密閉容器４と固定子鉄心５との間の摩擦係数を上げることにより、密閉容器４が固定子鉄心５を保持する力が大きくなり、固定子鉄心５を締め付ける力を低減することができる。
【００４２】
また、本実施の形態の固定子鉄心５を用いることにより、密閉容器４が固定子鉄心５を締め付ける力を低減でき、固定子鉄心５内部に発生する圧縮応力が緩和され、圧縮応力による鉄損劣化を小さくすることができる。
【００４３】
電磁鋼板は、打ち抜き歪みを解消するために焼鈍処理が行われるが、焼鈍により材料特性が変化する。そのため、ヤング率の異なる材料の代わりに、焼鈍処理の有無の電磁鋼板を積層して構成した固定子鉄心５でも同様の効果を得ることができる。
【００４４】
実施の形態３．
上記実施の形態１及び実施の形態２では、異なる外径、材料の電磁鋼板を積層することにより、固定子鉄心５を軸方向に抜けにくい構成にしたが、次に同一の電磁鋼板を積層させた場合にも固定子鉄心５を軸方向に抜けにくくした実施の形態３を説明する。
【００４５】
図９は実施の形態３を示す図で、密閉容器４に固定子鉄心５を焼嵌又は圧入した後の電動要素１の縦断面図である。
【００４６】
電磁鋼板は打ち抜き時に、打ち抜き方向に微小なバリ５ｆを生じる。そのため同一方向に打ち抜いた電磁鋼板を積層するとバリ５ｆの向きによって摩擦係数の大きい方向と小さい方向が生じる。
【００４７】
図９に示す固定子鉄心５は、固定子鉄心５を約１／２積層したところで、打ち抜きの方向を逆にしている。そして、バリ５ｆの向きは、それぞれ軸方向の外側に向いている。従って、それぞれが軸方向の外側の向きに摩擦係数が大きく、抜け難い構成になっている。
【００４８】
尚、図９に示す固定子鉄心５のバリ５ｆの向きを逆にしても、同様の効果が得られる。少なくとも、一部の電磁鋼板のバリ５ｆの向きが、他の電磁鋼板のバリ５ｆの向きと逆になる構成であればよい。
【００４９】
実施の形態４．
上記実施の形態１乃至３では、固定子鉄心５を軸方向に抜けにくい構成にしたが、次に固定子鉄心５を周方向に動きにくい構成にした実施の形態４を説明する。
【００５０】
図１０乃至図１２は実施の形態４を示す図で、図１０は密閉容器４に焼嵌又は圧入後の電動要素１の横断面図、図１１は第１の変形例の横断面図、図１２は第２の変形例の横断面図である。
【００５１】
図１０に示すように、固定子鉄心５はその外周面に径方向の寸法が微小で、周方向に細長い切欠き１４が、複数箇所（図１０では１２箇所）に形成されている。切欠き１４の径方向の寸法は、固定子鉄心５が磁気飽和を起さない微小な寸法とする。例えば、固定子鉄心５外径ｄの１００分の１程度が望ましい。且つ、ｄ≦０．４ｍｍが好ましい。本来は、磁極ティース７の外側に切欠き１４を設けるのが望ましいが、切欠き１４の径方向の寸法が、固定子鉄心５が磁気飽和を起さない微小であるから、スロット６の外側でも構わない。周方向の任意の位置でよい。
【００５２】
図１０では、比較的周方向に長く、数の少ない切欠き１４を示したが、図１１及び図１２のように、周方向に短く、数の多い切欠き１４としてもよい。図１１の切欠き１４は、形状が四角形である。また、図１２の切欠き１４は、形状が三角形である。
【００５３】
図１０乃至図１２のように固定子鉄心５の外周面に周方向に複数の切欠き１４を設けることにより、固定子鉄心５を密閉容器４に焼嵌又は圧入した場合に、固定子鉄心５の外周接触面の表面粗さにより密閉容器４と固定子鉄心５との周方向の静摩擦係数を上げることができる。それにより、固定子鉄心５に周方向に回転力が働いた場合に、固定子鉄心５が周方向に動きにくい構成となる。
【００５４】
また、焼嵌した密閉容器４が凹部に食い込むため周方向に回転力が働いた場合に引っかかりの役割も果たし、固定子鉄心５が周方向に動きにくい構成となる。
【００５５】
実施の形態５．
図１３、図１４は実施の形態５を示す図で、密閉容器４に固定子鉄心５を焼嵌又は圧入した後の電動要素１の縦断面図である。
【００５６】
上記実施の形態１〜４は電磁鋼板を、固定子鉄心５外周面の摩擦係数が大きくなるように積層し固定子鉄心５を構成したが、図１３に示すように、固定子鉄心５の外周表面にローレット加工部５ｇを施すことにより固定子鉄心５軸方向、周方向の摩擦係数を大きくして、同様の効果を得ることができる。
【００５７】
ローレットとはフランス語でギザギザ形状のことを意味し、英語ではナーリングと呼ばれる。日本での製造現場では、一般的にはローレットと呼ばれ、主に丸物の外周にすべり止めとしての役割がある。例えば、圧入部品（インサート）の接続部に摩擦係数を上げたり、内径にそのギザギザを食付かせたりして抜け止め、回り止めとして使用される。
【００５８】
また、図１４に示すように、固定子鉄心５の外周表面に接着剤５ｈ（又はワニス）を塗布して、密閉容器４に焼嵌もしくは圧入固定することにより、固定子鉄心５軸方向、周方向の摩擦係数を大きくして、同様の効果を得ることができる。
【００５９】
実施の形態６．
以上の実施の形態１乃至５は、固定子鉄心５が一体形状のもので説明したが、固定子鉄心５が分割コアを組み合わせて構成されるものであっても電磁鋼板の積層の方法が同じであれば、同様の効果を得ることができる。
【符号の説明】
【００６０】
１  電動要素、２  固定子、３  回転子、４  密閉容器、５  固定子鉄心、５ａ  第１の電磁鋼板、５ｂ  第２の電磁鋼板、５ｃ  第３の電磁鋼板、５ｄ  第４の電磁鋼板、５ｆ  バリ、５ｇ  ローレット加工部、５ｈ  接着剤、６  スロット、７  磁極ティース、８  コイル、１０  磁石挿入穴、１１  希土類永久磁石、１２  空隙、１３  回転子軸、１４  切欠き。
【図１】
2011152041.tif 000003
【図２】
2011152041.tif 000004
【図３】
2011152041.tif 000005
【図４】
2011152041.tif 000006
【図５】
2011152041.tif 000007
【図６】
2011152041.tif 000008
【図７】
2011152041.tif 000009
【図８】
2011152041.tif 000010
【図９】
2011152041.tif 000011
【図１０】
2011152041.tif 000012
【図１１】
2011152041.tif 000013
【図１２】
2011152041.tif 000014
【図１３】
2011152041.tif 000015
【図１４】
2011152041.tif 000016